(57)【特許請求の範囲】
【請求項１】
画像伝送を行うカメラ付き携帯電話装置において、
１対のスピーカ及びマイクロフォンからなり、前記スピーカが一定の音量レベルに設定され、前記マイクロフォンが一定の感度に設定されている通話手段と、
相手方電話装置の周囲の明るさの情報を含む画像を受信し表示する画像表示手段と
前記画像表示手段の出力信号から相手電話装置の周囲の明るさを示す周囲輝度レベルを検出し、検出された周囲輝度レベルが基準レベルよりも大きい場合には前記通話手段の前記スピーカの音量レベルを大きくし、且つ前記マイクロフォンの感度を大きくする制御を行い、検出された周囲輝度レベルが基準レベルよりも小さくなった場合には大きくした前記スピーカの音量、且つ大きくした前記マイクロフォンの感度を元に戻す制御を行うレベル制御手段とを備えることを特徴とするカメラ付き携帯電話装置。
【請求項２】
さらに、選択スイッチ手段を備え、前記選択スイッチ手段は相手方電話装置から画像が送信されてこないと前記画像表示手段が判断したら、検出された携帯電話装置の周囲の明るさを示す周囲輝度レベルが基準レベルよりも大きいと前記レベル制御手段が判断しても、前記選択スイッチにより、大きくした前記スピーカの音量、大きくした前記マイクロフォンの感度を元に戻す操作を可能にすることを特徴とする、請求項１に記載のカメラ付き携帯電話装置。
【請求項３】
画像伝送を行うカメラ付き携帯電話装置において、
１対のスピーカ及びマイクロフォンからなり、前記スピーカが一定の音量レベルに設定され、前記マイクロフォンが一定の感度に設定されている通話手段と、
前記カメラ付き携帯電話装置の周囲の明るさの情報を含む画像を撮像するカメラ手段と、
前記カメラ部分の出力信号から携帯電話装置の周囲の明るさを示す周囲輝度レベルを検出する輝度検出手段と、
相手方電話装置の周囲の明るさの情報を含む画像を受信し表示する画像表示手段と、
前記輝度検出手段により検出された携帯電話装置の周囲の明るさを示す周囲輝度レベルが第１の基準レベルよりも大きい場合には前記通話手段の前記スピーカの音量レベルを大きくし、且つ前記マイクロフォンの感度を大きくする制御を行い、前記輝度検出手段により検出された携帯電話装置の周囲の明るさを示す周囲輝度レベルが第１の基準レベルよりも小さい場合には前記通話手段の前記スピーカの音量レベルを小さくし、且つ前記マイクロフォンの感度を小さくする制御を行うレベル制御手段とを備え、
前記レベル制御手段が前記画像表示手段により検出される相手方電話装置の周囲の明るさを示す周囲輝度レベルと第２の基準レベルを比較し、前記輝度検出手段により検出された携帯電話装置の周囲の明るさを示す周囲輝度レベルが第１の基準レベルよりも小さい場合でも、前記画像表示手段により検出される相手方電話装置の周囲の明るさを示す周囲輝度レベルが第２の基準レベルよりも大きい場合には前記通話手段の前記スピーカの音量レベルを大きくし、且つ前記マイクロフォンの感度を大きくすることができることを特徴とするカメラ付き携帯電話装置。
【請求項４】
さらに、選択スイッチ手段を備え、前記選択スイッチ手段は相手方電話装置から画像が送信されてこないと前記画像表示手段が判断したら、検出された携帯電話装置の周囲の明るさを示す周囲輝度レベルが基準レベルよりも大きいと前記レベル制御手段が判断しても、前記選択スイッチにより、大きくした前記スピーカの音量、大きくした前記マイクロフォンの感度を元に戻す操作を可能にすることを特徴とする、請求項３に記載のカメラ付き携帯電話装置。
【発明の詳細な説明】
【０００１】
【産業上の利用分野】
本発明はカメラ付き携帯電話装置に関する。特に、本発明は、画像を見ながら通話をする場合に話し易く、聞き易くできるカメラ付き携帯電話装置に関する。
【０００２】
【従来の技術】
図５は従来の携帯電話装置を示すブロック図である。本図に示すように、携帯電話装置にはカメラ部２０１が設けられ、カメラ部分２０１は撮像用のＣＣＤ（Ｃｈａｒｇｅ  Ｃｏｕｐｌｅｄ  Ｄｅｖｉｃｅ）小型カメラからなる。
また、携帯電話装置にはアンテナ２０６が設けられ、アンテナ２０６は電波を送受信する。アンテナ２０６には無線部２０７が接続され、無線部２０７はアンテナ２０６を介して無線通信を制御する。
【０００３】
カメラ部分２０１、無線部２０７には制御部２０８が接続され、制御部２０８はこの携帯電話装置の全体の制御を行なう。例えば、カメラ部分２０１で撮像された画像は制御部２０８で処理されて無線部２０７を介して送信される。
制御部２０８にスピーカ２０５、マイクロフォン２０９、操作部２１０が接続され、スピーカ２０５、マイクロフォン２０９の音量調節は制御部２０８により制御され、操作部２１０は制御部２０８を介してユーザーが携帯電話装置を操作することを可能にする。
【０００４】
操作部２１０にはＬＣＤ（Ｌｉｑｕｉｄ  Ｃｒｙｓｔａｌ  Ｄｉｓｐｌａｙ）表示部２１０Ａが設けられ、ＬＣＤ表示部２１０Ａはこの携帯電話装置の各種の状態、電話番号、伝送画像等を表示するために用いられる。画像はアンテナ２０６、無線部２０７を介して受信され、制御部２０８で処理されてＬＣＤ表示部２１０Ａにより表示される。
さらに、操作部２１０にはテンキー２１０Ｂが設けられ、テンキー２１０Ｂは電話番号の入力等を行うために用いられる。
さらに、操作部２１０には選択スイッチ２１０Ｃが設けられ、選択スイッチ２１０Ｃは各種設定操作をするために用いられる。
【０００５】
この従来のカメラ付き携帯電話装置の通話動作には、画像を音声と共に送受信する場合と、音声だけを送受信する場合がある。
画像、音声の送受信の場合には、ＬＣＤ表示部２１０Ａに受信した画像が表示され、スピーカ２０５で受信した音声が再生される。同時にカメラ部分２０１で撮像された画像、マイクロフォン２０９で採取した音声が送信される。
音声だけの送受信の場合には、スピーカ２０５で受信した音声が再生される。同時に、マイクロフォン２０９で採取した音声が送信される。
【０００６】
音声だけの送受信の場合には、携帯電話装置のマイクロフォン２０９、スピーカ２０５に口、耳を近づけて話したり、聞いたりすることが可能である。
【発明が解決しょうとする課題】
しかしながら、画像、音声の送受信の場合には、ＬＣＤ表示部２１０Ａに表示されたが画像を見ようとすると、ＬＣＤ表示部２１０Ａと一定の距離をとる必要があるため、携帯電話装置のマイクロフォン２０９、スピーカ２０５から口、耳が離れる。このため、スピーカ２０５からの音声が小さくなり聞きづらくなり、マイクロフォン２０９へ大声を出して話さないと相手方が聞きづらいという問題がある。
【０００７】
また、画像を見るときには携帯電話装置を口、耳から離し、話しをしたり、声を聞いたりする場合には携帯電話装置を口、耳に近づけるようにすることが可能であるが、携帯電話装置を頻繁に近づけたり、離したりすることになるので、操作が煩わしいという問題がある。
また、手動でスピーカ２０５の音量、マイクロフォン２０９の感度を調節することも可能であるが、手動での調節操作は煩雑であるという問題がある。
したがって、本発明は上記問題点に鑑みて、携帯電話装置のＬＣＤ表示部の画像を見ながら、大声を上げないで話しができ、相手の話しが聞くことができるカメラ付き携帯電話装置を提供することを目的とする。
【０００８】
【課題を解決するための手段】
本発明は前記問題点を解決するために、本発明は、画像伝送を行うカメラ付き携帯電話装置において、１対のスピーカ及びマイクロフォンからなり、前記スピーカが一定の音量レベルに設定され、前記マイクロフォンが一定の感度に設定されている通話手段と、相手方電話装置の周囲の明るさの情報を含む画像を受信し表示する画像表示手段と、前記画像表示手段の出力信号から相手電話装置の周囲の明るさを示す周囲輝度レベルを検出し、検出された周囲輝度レベルが基準レベルよりも大きい場合には前記通話手段の前記スピーカの音量レベルを大きくし、且つ前記マイクロフォンの感度を大きくする制御を行い、検出された周囲輝度レベルが基準レベルよりも小さくなった場合には大きくした前記スピーカの音量、且つ大きくした前記マイクロフォンの感度を元に戻す制御を行うレベル制御手段とを備えることを特徴とするカメラ付き携帯電話装置を提供する。
この手段により、カメラ付き携帯電話装置の画像表示手段を利用して、画像を見ながら、大声を上げないで話しができ、相手の話しがよく聞くことができる。
【０００９】
さらに、選択スイッチ手段を備え、前記選択スイッチ手段は相手方電話装置から画像が送信されてこないと前記画像表示手段が判断したら、検出された携帯電話装置の周囲の明るさを示す周囲輝度レベルが基準レベルよりも大きいと前記レベル制御手段が判断しても、前記選択スイッチにより、大きくした前記スピーカの音量、大きくした前記マイクロフォンの感度を元に戻す操作を可能にする。
【００１０】
この手段により、画像の送信が無い場合の誤動作を簡単操作で防止することが可能になる。
【００１１】
さらに、本発明は、画像伝送を行うカメラ付き携帯電話装置において、１対のスピーカ及びマイクロフォンからなり、前記スピーカが一定の音量レベルに設定され、前記マイクロフォンが一定の感度に設定されている通話手段と、前記カメラ付き携帯電話装置の周囲の明るさの情報を含む画像を撮像するカメラ手段と、前記カメラ部分の出力信号から携帯電話装置の周囲の明るさを示す周囲輝度レベルを検出する輝度検出手段と、相手方電話装置の周囲の明るさの情報を含む画像を受信し表示する画像表示手段と、前記輝度検出手段により検出された携帯電話装置の周囲の明るさを示す周囲輝度レベルが第１の基準レベルよりも大きい場合には前記通話手段の前記スピーカの音量レベルを大きくし、且つ前記マイクロフォンの感度を大きくする制御を行い、前記輝度検出手段により検出された携帯電話装置の周囲の明るさを示す周囲輝度レベルが第１の基準レベルよりも小さい場合には前記通話手段の前記スピーカの音量レベルを小さくし、且つ前記マイクロフォンの感度を小さくする制御を行うレベル制御手段とを備え、前記レベル制御手段が前記画像表示手段により検出される相手方電話装置の周囲の明るさを示す周囲輝度レベルと第２の基準レベルを比較し、前記輝度検出手段により検出された携帯電話装置の周囲の明るさを示す周囲輝度レベルが第１の基準レベルよりも小さい場合でも、前記画像表示手段により検出される相手方電話装置の周囲の明るさを示す周囲輝度レベルが第２の基準レベルよりも大きい場合には前記通話手段の前記スピーカの音量レベルを大きくし、且つ前記マイクロフォンの感度を大きくすることができることを特徴とするカメラ付き携帯電話装置を提供する。
【００１２】
この手段により、この手段により、カメラ付き携帯電話装置のカメラ手段、画像表示手段の周囲輝度レベルを利用して、画像を見ながら、大声を上げないで話しができ、相手の話しをよく聞くことができる。
【００１３】
さらに、選択スイッチ手段を備え、前記選択スイッチ手段は相手方電話装置から画像が送信されてこないと前記画像表示手段が判断したら、検出された携帯電話装置の周囲の明るさを示す周囲輝度レベルが基準レベルよりも大きいと前記レベル制御手段が判断しても、前記選択スイッチにより、大きくした前記スピーカの音量、大きくした前記マイクロフォンの感度を元に戻す操作を可能にする。
【００１４】
この手段により、画像の送信が無い場合の誤動作を簡単操作で防止することが可能になる。
【００１６】
【発明の実施の形態】
以下、本発明の実施の形態について図面を参照して説明する。
図１は本発明に係るカメラ付き携帯電話装置を説明する概略ブロック図である。本図に示すように、携帯電話装置にはカメラ部分１０１が設けられ、カメラ部分１０１は撮像用のＣＣＤ小型カメラからなる。
携帯電話装置にはアンテナ１０６が設けられ、アンテナ１０６は電波を送受信する。アンテナ１０６には無線部１０７が接続され、無線部１０７はアンテナ１０６を介して無線通信を制御する。
【００１７】
無線部１０７には制御部１０８が接続され、制御部１０８はこの携帯電話装置の全体の制御を行なう。制御部１０８にはカメラ部分１０１が接続され、カメラ部分１０１で撮像された画像は制御部１０８で処理されて無線部１０７を介して送信される。
制御部１０８に操作部１１０が接続され、操作部１１０は制御部１０８を介してユーザーが携帯電話装置を操作することを可能にする。
操作部１１０にはＬＣＤ表示部１１０Ａが設けられ、ＬＣＤ表示部１１０Ａはこの携帯電話装置の各種の状態、電話番号、画像等を表示するために用いられる。画像はアンテナ１０６、無線部１０７を介して制御部１０８で処理されてＬＣＤ表示部１１０Ａにより表示される。
【００１８】
さらに、操作部１１０にはテンキー１１０Ｂが設けられ、テンキー１１０Ｂは電話番号の入力等を行うために用いられる。
さらに、操作部１１０には選択スイッチ１１０Ｃが設けられ、選択スイッチ１１０Ｃは各種設定操作をするために用いられる。
撮像された画像に携帯電話装置の周囲の明るさの情報が含まれるカメラ部分１０１には輝度検出部１０２が接続され、輝度検出部１０２はカメラ部分１０１の画像信号のうち輝度信号を抽出して明るさを示す周囲輝度レベルを検出する。周囲輝度レベルは全ての画素について輝度信号レベルの平均を取ることにより、又は代表的な一部の画素について輝度信号レベルの平均を取ることにより得られる。
【００１９】
輝度検出部１０２には比較器１０３が接続され、比較器１０３は輝度検出部１０２により検出された周囲輝度レベルと基準値と大小の比較を行う。
比較器１０３にはレベル制御部１０４が設けられ、レベル制御部１０４にはスピーカ１０５、マイクロフォン１０９が接続される。
レベル制御部１０４は周囲輝度レベルが制御部１０８により与えられる基準レベルよりも大きいとスピーカ１０５の音量レベル及びマイクロフォン１０９の感度を大きくし、周囲輝度レベルが基準レベルよりも小さいとスピーカ１０５の音量レベル及びマイクロフォン１０９の感度を当初設定してあったレベルになるようにする。
【００２０】
スピーカ１０５の音量レベル及びマイクロフォン１０９の感度を大きくする程度は数段の音量レベル、感度から任意に選択して設定できるようにする。ユーザーの個人差により、聴力、声の大きさが異なるためである。
また、当初設定してあったレベルとは、通常の通話をするために携帯電話装置を口、耳に持ってきて使用する場合を基準にして、スピーカ１０５の音量及びマイクロフォン１０９の感度を予め設定してあるレベルである。
図２は図１のカメラ付き携帯電話装置について通話動作の調節を説明するフローチャートである。本図に示すように、ステップＳ１において、カメラ部分１０１の出力信号から輝度検出部１０２は周囲輝度レベルを検出する。
【００２１】
ステップＳ２において、比較器１０３により検出された周囲輝度レベルと基準レベルと大小の比較を行う。
ステップＳ３において、周囲輝度レベルが基準レベルよりも大きいかを判断する。
ステップＳ４において、周囲輝度レベルが基準レベルよりも大きい場合には、レベル制御部１０４はスピーカ１０５の音量を大にし、マイクロフォン１０９の感度を大にする。
ステップＳ５において、周囲輝度レベルが基準レベルよりも大きくない場合には、スピーカ１０５の音量、マイクロフォン１０９の感度を当初設定レベルにする。
【００２２】
このようにするのは、携帯電話装置の周囲が明るい場合に、画像を見ながらの通話状態と仮定し、周囲が暗い場合には、画像を見ないでの通話状態と仮定し、スピーカ１０５の音量、マイクロフォン１０９の感度の制御を自動で行う。
なお、相手方の携帯電話装置から画像を送信してこない場合、相手方の携帯電話装置がカメラ付き携帯電話装置でなく画像を送信できない場合等、周囲が明るくても、テンキー１１０Ｂ、又は選択スイッチ１１０Ｃを用いて、レベル制御部１０４はスピーカ１０５の音量、マイクロフォン１０９の感度を強制的に当初設定にする。画像の送信が無い場合の誤動作を防止するためである。
【００２３】
したがって、携帯電話装置についているカメラ部分１０１を利用してスピーカ１０５の音量、マイクロフォン１０９の感度を切換え制御するので、画像を見ながら話したり、聞いたりする場合には、大声を出す必要がなくなり、相手方の話しが聞きづらいということがなくなり、快適な通話を行うことが可能になる。
【００２４】
図３は図２のカメラ付き携帯電話装置の変形例を説明する概略ブロック図である。本図に示すように、操作部１１０のＬＣＤ表示部１１０Ａに輝度検出部１０２を接続して、輝度検出部１０２は、ＬＣＤ表示部１１０Ａの画面における輝度レベルの検出により、画像を送信してくる相手方の携帯電話装置の周囲における明るさを示す周囲輝度レベルを検出するようにしてもよい。ＬＣＤ表示部１１０Ａの画面が明るい場合には、相手方の携帯電話装置から送られてくる画像の表示が良い状態であると判断できるためである。
【００２５】
輝度検出部１０２には、比較器１０３、レベル制御部１０４が接続され、レベル制御部１０４は、図１の場合と同様に、スピーカ１０５の音量、マイクロフォン１０９の感度を制御する。
なお、相手方の携帯電話装置から画像を送信してこない場合、相手方の携帯電話装置がカメラ付き携帯電話装置でなく画像を送信できない場合等、ＬＣＤ表示部１１０Ａの画面が明るくても、テンキー１１０Ｂ、又は選択スイッチ１１０Ｃを用いて、レベル制御部１０４はスピーカ１０５の音量、マイクロフォン１０９の感度を強制的に当初設定にする。
【００２６】
したがって、携帯電話装置についているＬＣＤ表示部１１０Ａを利用してスピーカ１０５の音量、マイクロフォン１０９の感度を切換え制御するので、画像を見ながら話したり、聞いたりする場合には、大声を出す必要がなくなり、相手方の話しが聞きづらいということがなくなり、快適な通話を行うことが可能になる。
【００２７】
図４は図１におけるカメラ付き携帯電話装置の別の変形例を説明する概略ブロック図である。本図に示すように、操作部１１０の選択スイッチ１１０Ｃにレベル制御部１０４が接続される。レベル制御部１０４は、選択スイッチ１１０Ｃの切換え信号により、スピーカ１０５の音量レベル及びマイクロフォン１０９の感度を大きくし、又はスピーカ１０５の音量レベル及びマイクロフォン１０９の感度を当初設定してあったレベルになるようにするように、スピーカ１０５の音量レベル、マイクロフォン１０９の感度を切換える制御を行う。この制御は、ユーザーがＬＣＤ表示部１１０Ａの表示状態を見て選択スイッチ１１０Ｃの切換えを行うが、操作は簡単である。
【００２８】
したがって、携帯電話装置についている選択スイッチ１１０Ｃを利用してスピーカ１０５の音量、マイクロフォン１０９の感度を切換え制御するので、画像を見ながら話したり、聞いたりする場合には、大声を出す必要がなくなり、相手方の話しが聞きづらいということがなくなり、快適な通話を行うことが可能になる。
なお、図１と図４の構成を組み合わせて、図１の場合、周囲が暗くてもＬＣＤ表示部１１０Ａの表示が良い状態の場合には、選択スイッチ１１０Ｃを用いて、スピーカ１０５の音量レベル及びマイクロフォン１０９の感度を大きくするようにしてもよい。画像状態が良い場合の誤動作を防止できる。
【００２９】
【発明の効果】
以上説明したように、本発明によれば、画像表示が行われている場合にはスピーカの音量、マイクロフォンの感度を大きくするので、携帯電話装置のＬＣＤ表示部の画像を見ながら、大声を上げないで話しができ、相手の話しを良く聞くことができるようになった。
【図面の簡単な説明】
【図１】本発明に係るカメラ付き携帯電話装置を説明する概略ブロック図である。
【図２】図１のカメラ付き携帯電話装置について通話動作の調節を説明するフローチャートである。
【図３】図２のカメラ付き携帯電話装置の変形例を説明する概略ブロック図である。
【図４】図１におけるカメラ付き携帯電話装置の別の変形例を説明する概略ブロック図である。
【図５】従来の携帯電話装置を示すブロック図である。
【符号の説明】
１０１…カメラ部分
１０２…輝度検出部
１０３…比較器
１０４…レベル制御部
１０５…スピーカ
１０６…アンテナ
１０７…無線部
１０８…制御部
１０９…マイクロフォン
１１０…操作部
１１０Ａ…ＬＣＤ表示部
１１０Ｂ…テンキー
１１０Ｃ…選択スイッチ
【図１】
0003719580.tif 000002
【図２】
0003719580.tif 000003
【図３】
0003719580.tif 000004
【図４】
0003719580.tif 000005
【図５】
0003719580.tif 000006